(57)【要約】【課題】装飾部材を移動させるために必要なスペースが増大しにくい遊技機を提供する。【解決手段】パチンコ機は、モータの駆動力によって、第一移動部材１３１を軸部材１３９を中心に回転させる。第一移動部材１３１が、待機回転位置（図８（ａ）参照）から、中間回転位置（図８（ｂ）参照）まで回転する間、下顎部１７０と第二移動部材は、一体的に上方へ直線移動する。第一移動部材１３１が、中間回転位置から演出回転位置（図８（ｃ）参照）まで回転する間、下顎部１７０は、第二移動部材とは独立して、軸部材を中心に回転移動する。【選択図】図８
2017086583.tif 000002
【特許請求の範囲】
【請求項１】
駆動手段と、
移動可能に設けられた第一装飾体と、
前記駆動手段の駆動力によって前記第一装飾体を第一所定方向に沿って移動させた後に、前記駆動手段の駆動力によって前記第一装飾体を前記第一所定方向とは異なる第二所定方向に沿って移動させる移動手段と
を備えたことを特徴等する遊技機。
【請求項２】
前記移動手段は、
前記駆動手段の駆動力によって、前記第一装飾体を従動させながら移動する第一移動部材と、
前記第一装飾体に連結し、且つ、前記第一移動部材に従動して移動可能な第二移動部材と
を備え、
前記第一移動部材は、
前記第一装飾体と前記第二移動部材を前記第一所定方向に沿って一体的に移動させる第一動作と、
前記第一動作の実行後、前記第一装飾体を前記第二移動部材とは独立して前記第二所定方向に移動させる第二動作と
を実行することを特徴とする請求項１に記載の遊技機。
【請求項３】
前記移動手段は、
前記第一所定方向と直交する方向に延び、前記第一移動部材を回転可能に支持する第一支持部を備えたことを特徴とする請求項２に記載の遊技機。
【請求項４】
前記第二所定方向は、前記第一所定方向と直交する軸線を中心とした回転方向であり、
前記移動手段は、前記第一装飾体を前記第一所定方向に沿って直線移動させた後に、前記第一装飾体を前記第二所定方向に回転させることを特徴とする請求項１から３のいずれかに記載の遊技機。
【発明の詳細な説明】
【技術分野】
【０００１】
本発明は、遊技機に関する。
【背景技術】
【０００２】
従来、装飾体を移動させる遊技機が知られている。例えば、特許文献１に開示の遊技機は、装飾体の一例である開閉部材を備える。開閉部材は、揺動部材に取り付けられる。揺動部材は、上下方向に沿う軸部を中心に揺動可能である。開閉部材は、揺動部材と共に揺動する。
【先行技術文献】
【特許文献】
【０００３】
【特許文献１】特開２００７−２９２５５号公報
【発明の概要】
【発明が解決しようとする課題】
【０００４】
しかしながら、開閉部材が軸部から離間する程、開閉部材が通過する領域は増大する。これに伴い、開閉部材が通過する領域から退避させる必要のある各種部材の数が増大する。従って、開閉部材を移動させるために必要なスペースが大きくなる可能性がある。
【０００５】
本発明の目的は、装飾体を移動させるために必要なスペースが増大しにくい遊技機を提供することである。
【課題を解決するための手段】
【０００６】
本発明に係る遊技機は、駆動手段と、移動可能に設けられた第一装飾体と、前記駆動手段の駆動力によって前記第一装飾体を第一所定方向に沿って移動させた後に、前記駆動手段の駆動力によって前記第一装飾体を前記第一所定方向とは異なる第二所定方向に沿って移動させる移動手段とを備えたことを特徴とする。
【０００７】
上記構成によれば、第一装飾体の通過領域は、遊技機が備える他の各種部材と接触しない柔軟な通過領域となり易い。従って、装飾体を移動させるために必要なスペースが増大しにくい遊技機が実現される。
【０００８】
前記遊技機において、前記移動手段は、前記駆動手段の駆動力によって、前記第一装飾体を従動させながら移動する第一移動部材と、前記第一装飾体に連結し、且つ、前記第一移動部材に従動して移動可能な第二移動部材とを備え、前記第一移動部材は、前記第一装飾体と前記第二移動部材を前記第一所定方向に沿って一体的に移動させる第一動作と、前記第一動作の実行後、前記第一装飾体を前記第二移動部材とは独立して前記第二所定方向に移動させる第二動作とを実行してもよい。この場合、第一装飾体の移動方向の切り替わりが、第一移動部材と第二移動部材とに実現される。従って、遊技機は、第一装飾体を移動させる機構を簡易化できる。
【０００９】
前記遊技機において、前記移動手段は、前記第一所定方向と直交する方向に延び、前記第一移動部材を回転可能に支持する第一支持部を備えてもよい。この場合、第一移動部材が直線移動する場合に比べ、第一移動部材の移動範囲が限定される。従って、遊技機は、第一装飾体を移動させる機構を省スペース化できる。
【００１０】
前記遊技機において、前記第二所定方向は、前記第一所定方向と直交する軸線を中心とした回転方向であり、前記移動手段は、前記第一装飾体を前記第一所定方向に沿って直線移動させた後に、前記第一装飾体を前記第二所定方向に回転させてもよい。この場合、装飾体の動きがよりダイナミックになるので、遊技機は、装飾体を動作させる演出効果を向上できる。
【図面の簡単な説明】
【００１１】
【図１】パチンコ機１の正面図である。
【図２】遊技盤２の正面図である。
【図３】初期状態の演出装置２００の正面図である。
【図４】初期状態の演出装置２００の背面図である。
【図５】初期状態の演出装置２００の右側面図である。
【図６】支持体７０を省略した初期状態の演出装置２００の背面斜視図である。
【図７】支持体７０、モータ８２、腕部９５等を省略した初期状態の演出装置２００の背面斜視図である。
【図８】上顎部１１０、及び下顎部１７０の動作の流れ示す背面図である。
【図９】図８から支持体７０の図示を省略した背面図である。
【図１０】上顎部１１０、及び下顎部１７０の動作の流れ示す正面図である。
【図１１】表示面２８Ａの前方に上顎部１１０と下顎部１７０が出現する流れを示す正面図である。
【図１２】演出状態の演出装置２００の正面図である。
【発明を実施するための形態】
【００１２】
以下、本発明に係る遊技機の第一の実施形態であるパチンコ機１について、図面を参照して説明する。以下の説明では、図１の手前側、奥側、上側、下側、左側、及び右側を、それぞれ、パチンコ機１の前側、後側、上側、下側、左側、及び右側とする。
【００１３】
図１及び図２を参照して、パチンコ機１の機械的構成について説明する。図１に示すように、パチンコ機１の上半分の部分には遊技盤２が設けられている。遊技盤２は正面視略正方形の板状であり（図２参照）、透明なガラス板を保持した前面枠１０によって前面を保護されている。遊技盤２の下部には上皿５が設けられている。上皿５は、遊技球発射装置（図示略）に金属製の遊技球を供給し、且つ賞球を受ける。上皿５の上面には、遊技者によって操作される操作ボタン９が設けられている。上皿５の直下には、賞球を受ける下皿６が設けられている。下皿６の右横には、遊技球の発射を調整する発射ハンドル７が設けられている。発射ハンドル７は、遊技者が回転操作できるように設けられており、遊技者が発射ハンドル７を回転させて発射操作を行うと、発射ハンドル７の回転角度に応じた強度で、遊技球発射装置によって遊技球が発射される。前面枠１０の上部の左右の角には、スピーカ４８がそれぞれ設けられている。
【００１４】
図２に示すように、遊技盤２の前面には、ガイドレール３で囲まれた略円形の遊技領域４が形成されている。遊技球発射装置によって発射された遊技球は、ガイドレール３によって遊技領域４へ導かれ、遊技領域４内を流下する。遊技領域４の略中央には、各種演出を実行するセンター飾り８が設けられている。センター飾り８の略中央には、開口部８Ａが形成されている。開口部８Ａの下部には、透明な板状部材１８が前側から覆うように設けられる。センター飾り８は、表示装置２８及び演出装置２００を主に備える。表示装置２８は表示面２８Ａを有する。表示面２８Ａは、センター飾り８の開口部８Ａから前方に露出する。表示面２８Ａは、例えばＬＣＤ等によって構成され、前面の全ての領域を表示領域として、様々な映像を表示可能である。表示面２８Ａは、例えば、大当り判定の結果を報知する演出図柄を表示する。
【００１５】
演出装置２００は、センター飾り８の左部において、表示面２８Ａの前側に配置されている。演出装置２００は、後述する腕部９５、上顎部１１０、及び下顎部１７０を、表示面２８Ａ及びスピーカ４８等と連動しながら動作させ、様々な演出を行う。遊技者は、パチンコ機１の前面側から、表示面２８Ａに表示される各種画像と、演出装置２００が動作させる腕部９５等を、同時に視認可能である。
【００１６】
センター飾り８の略中央下方には、第一始動口１４が設けられている。第一始動口１４の下方には、第二大入賞口１７が設けられている。センター飾り８の右斜め下方には、普通図柄作動ゲート１２が設けられている。普通図柄作動ゲート１２の下方には、第二始動口１５が設けられている。第二始動口１５の左斜め下方には、第一大入賞口１６が設けられている。第二始動口１５、第一大入賞口１６及び第二大入賞口１７は、それぞれ開閉部材を備える。遊技球は、開閉部材が開放された場合にのみ、第二始動口１５、第一大入賞口１６及び第二大入賞口１７のそれぞれに入賞することができる。
【００１７】
遊技盤２の後面側には、主基板（図示外）、サブ基板（図示外）等が設けられている。主基板はパチンコ機１の主制御を司る。主基板には、各種の演算処理を実行するＣＰＵ、データを一時的に記憶するＲＡＭ、および制御プログラム等を記憶したＲＯＭが設けられている。サブ基板は、主基板と電気的に接続されている。サブ基板は、主基板と同様に、ＣＰＵ、ＲＡＭ、およびＲＯＭが設けられている。サブ基板は、主基板から送信されるコマンドに従って、演出装置２００等を動作させ、演出に関する総合的な制御を実行する。
【００１８】
図３〜図１２を参照し、演出装置２００について説明する。はじめに、図３を参照し、演出装置２００の概略について説明する。演出装置２００は、モータ８２，８８，腕部９５、上顎部１１０、及び下顎部１７０を備える。腕部９５、上顎部１１０、及び下顎部１７０は、いずれも、装飾体の一例である。腕部９５と上顎部１１０は、後方から前方へ並ぶ。また、下顎部１７０は、上顎部１１０の下側に配置される。演出装置２００は、モータ８２を駆動することで腕部９５を回転させ、モータ８８を駆動することで上顎部１１０と下顎部１７０を連動して回転させる。腕部９５、上顎部１１０、及び下顎部１７０は、それぞれ、正面視で視認不能な位置と、正面視で視認可能となる位置との間を移動する（図２、図１１（ａ）参照）。また、下顎部１７０は、正面視で視認可能となる位置にて、直線移動から回転移動に動作を切り替えることができる（図１１（ｂ）、（ｃ）参照）。
【００１９】
図３〜図７を参照し、演出装置２００の詳細構造について説明する。図３に示すように、演出装置２００は、支持体７０を備える。支持体７０は、センター飾り８（図２参照）の下部及び左部に後側から固定された板状体であり、正面視で略Ｌ字状に形成される。支持体７０は、腕部９５、上顎部１１０、及び下顎部１７０等の各種部材を支持する。支持体７０は、下支持部７１と上支持部７２とを備える。下支持部７１は左右方向に延びる略矩形状であり、上支持部７２は下支持部７１の左部から上方に延びる略矩形状である。
【００２０】
図４に示すように、上支持部７２の右部には、軸部材９２が設けられる。軸部材９２は、上支持部７２から後方に突出する。以下、軸部材９２の軸線を「軸線９２Ａ」という。軸線９２Ａは前後方向に延びる。軸部材９２には、腕部９５が回転可能に支持される。腕部９５は、キャラクタの腕を模った装飾体である。腕部９５は、装飾部材９５Ａと基板９５Ｂとを有する。装飾部材９５Ａは、軸部材９２から、軸線９２Ａを基準とした径方向（以下、「第一方向」という）へ延びる。装飾部材９５Ａは、透光性を有する板状部材であり、基板９５Ｂを前側から覆う。基板９５Ｂの前面には、ＬＥＤ等の発光体が設けられる。発光体は、装飾部材９５Ａによって前方から覆われる。
【００２１】
図５に示すように、装飾部材９５Ａは、前面９５Ｃを備える。前面９５Ｃの第一方向側の部位は、前方に向かって湾曲している。以下、前面９５Ｃのうちで、最も前側にある部位を、「先頭部９５Ｄ」という。
【００２２】
図４に示すように、腕部９５は、複数のギヤを介して、モータ８２（図３参照）に連結する。モータ８２は、上支持部７２の左部の前面に設けられる。モータ８２の出力軸は、上支持部７２を前後方向に貫通する。出力軸の後端部に固定されたモータギヤ８２Ａは、
上支持部７２の後方に位置し、他のギヤを介して腕部９５と連結する。従って、腕部９５は、モータ８２の駆動に伴って、腕退避位置（図１０（ａ）参照）と腕演出位置（図１２参照）との間を、軸線９２Ａを中心に回転可能である。腕退避位置は、軸部材９２から略上方に延びる腕部９５の回転位置である。腕退避位置にある腕部９５は、センター飾り８の左部の後方に位置し、前方からは視認不能となる（図１１（ａ）参照）。腕演出位置は、軸部材９２から略右方に延びる腕部９５の回転位置である。腕演出位置にある腕部９５は、表示面２８Ａの左下部の前方で左右方向に延びる。腕演出位置にある腕部９５の前面９５Ｃの半分以上は、表示面２８Ａの前方に配置される。この場合、腕部９５の第一方向における端部は、表示面２８Ａの左右方向における略中心の前方に位置する。
【００２３】
図３、図７に示すように、支持体７０のうちで、下支持部７１と上支持部７２との境界部の前面には、モータ８８が設けられる。モータ８８の出力軸は、支持体７０を前後方向に貫通する。モータ８８の出力軸の後端部には、モータギヤ８８Ａが固定される。モータギヤ８８Ａの上端部は、ギヤ８９と連結する。ギヤ８９は、支持体７０の後部に回転可能に設けられる。ギヤ８９はアーム部８９Ａを備える。アーム部８９Ａは、ギヤ８９の回転中心から離間する方向へ延びる。
【００２４】
アーム部８９Ａの先端部には、上顎部１１０が連結する。上顎部１１０は、軸部材１０２によって回転可能に支持される。軸部材１０２は、支持体７０の上支持部７２の右部から後方に突出し、アーム部８９Ａの先端部から離間する。以下、軸部材１０２の軸線を「軸線１０２Ａ」という。軸線１０２Ａは、前後方向に延びる。
【００２５】
上顎部１１０は、装飾部材１１２と基板１１５を備える。装飾部材１１２は、軸部材１０２によって回転可能に支持され、軸線１０２Ａを基準とした径方向（以下、「第二方向」という）へ延びる。装飾部材１１２の形状は、第二方向に長い箱状であり、後方に向けて開口する。装飾部材１１２は、透光性を有する樹脂部材によって形成される。基板１１５は、第二方向と平行に延びる。基板１１５は、装飾部材１１２の後部に取り付けられており、装飾部材１１２の内側を後方から覆う。基板１１５の後面１１５Ａは、平面状であり、後方に向けて露出する。基板１１５の基板の前面には、例えばＬＥＤ等の発光体が実装される。基板１１５の発光体が放つ光は、装飾部材１１２を前方へ透過する。
【００２６】
上顎部１１０は、モータ８８の回転に伴って、軸線１０２Ａを中心に、退避位置（図１０（ａ）参照）と、演出位置（図１０（ｃ）参照）との間を、回転可能である。退避位置は、軸線１０２Ａから略上方へ延びる上顎部１１０の回転位置である。演出位置は、軸線１０２Ａから略右方へ延びる上顎部１１０の回転位置である。退避位置にある上顎部１１０は、センター飾り８の左部の後方に位置し、前方からは視認不能である（図１１（ａ）参照）。また、上顎部１１０が退避位置にある場合、基板１１５の後面１１５Ａは、腕退避位置にある腕部９５の前面９５Ｃに対して、隙間を空けて前方から対向する（図５参照）。演出位置にある上顎部１１０は、腕演出位置にある腕部９５の前方に位置する。
【００２７】
基板１１５の背面には、緩衝部材１０７が例えば粘着テープ等によって貼り付けられている。緩衝部材１０７は、弾性変形することによって、衝撃及び振動等を吸収可能な部材である。本例の緩衝部材１０７は、ハネナイト（登録商標）である。上顎部１１０が退避位置にある場合、緩衝部材１０７は、腕退避位置にある腕部９５の先頭部９５Ｄに対して、隙間を空けて前方から対向する（図５参照）。
【００２８】
図６に示すように、上述したモータギヤ８８Ａの下端部は、複数のギヤを介して、回転体１２５のギヤ部に連結する。回転体１２５は、支持体７０の下支持部７１の背面左部に設けられ、前後方向に延びる軸線１２５Ａを中心に回転可能である。回転体１２５は、モータ８８から伝達される駆動力よって、回転する。回転体１２５はアーム部１２７を備える。アーム部１２７は軸線１２５Ａから離間する方向へ延びる。アーム部１２７の先端部には、摺動連結部１２７Ａが設けられる。本例の摺動連結部１２７Ａは、軸受である。
【００２９】
回転体１２５は、待機回転位置（図６参照）と、終了回転位置（図９（ｃ）参照）との間を、開始回転位置（図示略）を経由して、回転可能である。待機回転位置は、摺動連結部１２７Ａが軸線１２５Ａに対して左下方に位置する回転体１２５の回転位置である。終了回転位置は、摺動連結部１２７Ａが軸線１２５Ａに対して右上方に位置する回転体１２５の回転位置である。開始回転位置は、摺動連結部１２７Ａが軸線１２５Ａに対して右下方に位置する回転体１２５の回転位置である。開始回転位置は、終了回転位置にある回転体１２５が背面視で僅かに時計回りに回転した回転位置である。図４では、回転体１２５が開始回転位置にある場合における摺動連結部１２７Ａを、二点鎖線によって図示する。回転体１２５が開始回転位置にある場合における摺動連結部１２７Ａの高さは、回転体が待機回転位置にある場合における摺動連結部１２７Ａと高さと同じである。回転体１２５は、待機回転位置と開始回転位置との間を回転する間に、摺動連結部１２７Ａが軸線１２５Ａの真下となる回転位置を通過する（図示略）。
【００３０】
図６に示すように、摺動連結部１２７Ａは、第一移動部材１３１に連結する。第一移動部材１３１は、アーム部１２７の後方に配置された、前後方向に厚さを有する板状部材である。第一移動部材１３１は、軸部材１３９に回転可能に設けられる。軸部材１３９は、回転体１２５よりも右側で、下支持部７１から後方に突出する。軸部材１３９は、前後方向に沿う。
【００３１】
第一移動部材１３１は、軸部材１３９から、軸部材１３９の軸線を基準とした径方向へ延びる。第一移動部材１３１には、内開口縁部１４１が設けられる。内開口縁部１４１は、第一移動部材１３１のうち、延設方向における略中央部に設けられる。内開口縁部１４１は、第一開口縁部１４１Ａと第二開口縁部１４１Ｂとを含む。第一開口縁部１４１Ａは、左側から右側へ向けて直線状に延びる長穴を形成する。第二開口縁部１４１Ｂは、第一開口縁部１４１Ａの右端部から、第一開口縁部１４１Ａの延設方向と交差する方向に向けて直線状に延びる長穴を形成する。第一開口縁部１４１Ａと第二開口縁部１４１Ｂが形成する長穴は、いずれも第一移動部材１３１を前後方向に貫通する。
【００３２】
内開口縁部１４１の内側には、回転体１２５の摺動連結部１２７Ａが摺動可能に嵌る。
回転体１２５の回転に伴って、第一移動部材１３１は、軸部材１３９を中心として、所定回転位置（図示略）と演出回転位置（図８（ｃ）参照）との間を、退避回転位置（図８（ａ）参照）を経由して回転可能である。所定回転位置は、軸部材１３９から右下方に延びる第一移動部材１３１の回転位置である所定回転位置は、第一移動部材１３１の回転範囲のうち、背面視で反時計回り側の端の位置である。第一移動部材１３１が所定回転位置にある場合、摺動連結部１２７Ａは第一開口縁部１４１Ａの延設方向の中央部と当接する（図示略）。演出回転位置は、軸部材１３９から右上方に延びる第一移動部材１３１の回転位置である。第一移動部材１３１が演出回転位置にある場合、摺動連結部１２７Ａは、第二開口縁部１４１Ｂの左端部に対して接触する（図８（ｃ）参照）。退避回転位置は、所定回転位置から背面視で時計回りに僅かに回転した第一移動部材１３１の回転位置である。第一移動部材１３１が退避回転位置にある場合、摺動連結部１２７Ａは、第一開口縁部１４１Ａの左端部及び右端部のいずれか一方に対して接触する。第一移動部材１３１は、所定回転位置と演出回転位置との間を回転する場合、軸部材１３９を中心に略５０度だけ回転する。
【００３３】
回転体１２５が待機回転位置と開始回転位置との間を回転する場合、摺動連結部１２７Ａが第一開口縁部１４１Ａに対して摺動することによって、第一移動部材１３１は、所定回転位置と退避回転位置との間を回転可能である。また、回転体１２５が開始回転位置と終了回転位置との間を回転する場合、摺動連結部１２７Ａが第二開口縁部１４１Ｂに対して摺動することによって、第一移動部材１３１は、退避回転位置と演出回転位置との間を回転可能である。
【００３４】
図６に示すように、第一移動部材１３１うち、内開口縁部１４１に対して軸部材１３９とは反対側の部位には、外開口縁部１４２が設けられる外開口縁部１４２は、軸部材１３９と略直交する方向に直線状に延びる長穴を形成する。外開口縁部１４２には、後軸受１６２が摺動可能に嵌っている。後軸受１６２には、前後方向に沿う軸部材１６４の後端部が挿通されている。
【００３５】
図４に示すように、軸部材１６４は、ガイド部７７が形成する長穴に挿通される。ガイド部７７は、支持体７０の下支持部７１の右部に設けられ、支持体７０を前後方向に貫通する長穴を形成する。ガイド部７７は、第一移動部材１３１の移動する領域に対して前方に配置される。また、軸部材１６４の前端部は、支持体７０よりも前方にある。
【００３６】
ガイド部７７は、第一ガイド部７７Ａと第二ガイド部７７Ｂとを含む。第一ガイド部７７Ａは、上下方向に延びる開口縁部である。第二ガイド部７７Ｂは、第一ガイド部７７Ａの上端部から、右上方へ延びる開口縁部である。言い換えると、第二ガイド部７７Ｂは、前後方向及び上下方向と交差する方向に延びる。軸部材１６４は、第一ガイド部７７Ａ及び第二ガイド部７７Ｂに沿って移動可能である。
【００３７】
図６に示すように、軸部材１６４の前端部は、下顎部１７０の背面部に固定される。下顎部１７０は、キャラクタの下顎を模った役物である。下顎部１７０は、下支持部７１（図３参照）の前方に配置されており、第一移動部材１３１及びガイド部７７に対して前後方向に並ぶ。下顎部１７０は、軸部材１６４と直交する方向に延びる。下顎部１７０は、基板と装飾部材とを有する。装飾部材は、透光性を有する板状部材であり、基板を前側から覆う。下顎部１７０の基板の前面には、ＬＥＤ等の発光体が設けられており、装飾部材によって前側から覆われている。
【００３８】
下顎部１７０の左端部は、前後方向に延びる軸部材１７７によって回転可能に支持される。軸部材１７７は、第二移動部材１７２によって支持される。以下、軸部材１７７の軸線を「軸線１７７Ａ」という。第二移動部材１７２は、下顎部１７０と下支持部７１との間に配置された、正面視で略矩形状の板状部材である。第二移動部材１７２は、下顎部１７０と第一移動部材１３１に対して前後方向に並ぶ。第二移動部材１７２は、スライドレール１４７（図７参照）によって上下動可能に支持される。スライドレール１４７は、軸部材１７７とガイド部７７との間において下支持部７１（図３参照）の前面に設けられる。また、図４に示すように、第二移動部材１７２の左部は、軸受を介して、左ガイド部７９に摺動可能に連結する。左ガイド部７９は、下支持部７１に設けられた開口縁部であり、上下方向に延びる。第二移動部材１７２は、スライドレール１４７と左ガイド部７９によって、上下方向の移動を案内される。以下、第二移動部材１７２の可動範囲の上端位置を、「第一位置」（図８（ｃ）、図９（ｃ）参照）といい、第二移動部材１７２の可動範囲の下端位置を、「第二位置」（図８（ａ）、図９（ａ）参照）という。
【００３９】
第二移動部材１７２のうち、スライドレール１４７よりも右側の部位には、摺動部１７３が設けられる。摺動部１７３は、第二移動部材１７２を前後方向に貫通する長穴を形成する開口縁部である。摺動部１７３は、軸線１７７Ａを中心とした回転方向に延びる。第二移動部材１７２が第一位置にある場合、摺動部１７３は、第二ガイド部７７Ｂに対して略前方から対向する（図８（ｃ）、図９（ｃ）参照）。第二移動部材１７２が第二位置にある場合、摺動部１７３は、第一ガイド部７７Ａの下端部に対して前方から対向する（図８（ａ）、図９（ａ）参照）。第二移動部材１７２が第一位置にある場合であっても、軸部材１７７は、開口部８Ａよりも下方に位置する（図１１（ｃ）参照）。つまり、軸部材１７７は、表示面２８Ａから前後方向と直交する方向に離間した位置に配置される。
【００４０】
図６に示すように、摺動部１７３の内側には前軸受１６８が摺動可能に嵌め込まれており、前軸受１６８の内側に軸部材１６４が挿通されている。前軸受１６８は、後軸受１６２と前後方向に対向する。以下、前軸受１６８、軸部材１６４、及び後軸受１６２を総称して、「連結部１６０」という。連結部１６０は、第二移動部材１７２と下顎部１７０とを連結し、且つ摺動部１７３に対して摺動可能に連結する。
【００４１】
第一移動部材１３１が退避位置（図８（ａ）参照）と演出位置（図８（ｃ）参照）との間を回転する場合、外開口縁部１４２が後軸受１６２を上側へ付勢することによって、下顎部１７０と第二移動部材１７２は、いずれも、第一移動部材１３１に従動して上下方向に移動できる。以下、下顎部１７０の可動範囲の下端位置を、単に「下端位置」といい、下顎部１７０の可動範囲の上端位置を、単に「上端位置」という。
【００４２】
図２、図７〜図１２を参照し、演出装置２００の動作を説明する。尚、図８（ａ）、図９（ａ）、及び図１０（ａ）の演出装置２００の状態は、いずれも同じ状態である。また、図８（ｂ）、図９（ｂ）、図１０（ｂ）、及び図１１（ｂ）の演出装置２００の状態は、いずれも同じ状態である。同様に、図８（ｃ）、図９（ｃ）、図１０（ｃ）、及び図１１（ｃ）の演出装置２００の状態は、いずれも同じ状態である。
【００４３】
動作前の演出装置２００は、初期状態（図１０（ａ）参照）にあるものとする。演出装置２００が初期状態にある場合、腕部９５は腕退避位置にあり、上顎部１１０は退避位置にあり、回転体１２５は待機回転位置にある。また、演出装置２００が初期状態にある場合、摺動連結部１２７Ａは第一開口縁部１４１Ａの左端部に接触し、第一移動部材１３１は退避回転位置にあり、第二移動部材１７２は第二位置にあり、下顎部１７０は下端位置にある。初期状態にある演出装置２００は、前方からは視認不能である（図１１（ａ）参照）。
【００４４】
図７に示すように、演出装置２００が動作を開始する場合、モータ８８は、モータギヤ８８Ａを背面視で時計回り（矢印Ａ方向）に回転させるように、回転駆動する。モータ８８の駆動力は、モータギヤ８８Ａ及びギヤ８９を伝って、上顎部１１０に伝達される。ギヤ８９が回転することで、上顎部１１０は、退避位置から演出位置に向けて、背面視で時計回り（矢印Ｂ方向）に回転する。上顎部１１０が演出位置に向けて回転している間、モータ８８の駆動力は、モータギヤ８８Ａ及び複数のギヤを伝って、回転体１２５に伝達される。
【００４５】
回転体１２５が、待機回転位置（図８（ａ）、図９（ａ）参照）から開始回転位置へ回転する。これにより、摺動連結部１２７Ａは、第一開口縁部１４１Ａに対して摺動しながら、内開口縁部１４１に対して右側へ相対移動する。摺動連結部１２７Ａは、第一移動部材１３１を背面視で反時計回り（図８（ａ）の矢印Ｃ方向）に回転させる。
【００４６】
摺動連結部１２７Ａは、第一開口縁部１４１Ａの延設方向の中央部まで摺動したとき（図示略）、第一移動部材１３１を、退避回転位置から所定回転位置まで回転させる。摺動連結部１２７Ａは、第一開口縁部１４１Ａに対して更に摺動する。第一移動部材１３１の回転方向は、背面視で反時計回りから時計回りに切り替わる。つまり、第一移動部材１３１は、所定回転位置を起点として、上側へ向けて回転移動する。
【００４７】
回転体１２５が待機回転位置から開始回転位置まで回転すると、摺動連結部１２７Ａは第一開口縁部１４１Ａの右端部まで摺動し、第一移動部材１３１は所定回転位置から退避回転位置まで戻る。尚、所定回転位置と退避回転位置は、互いに極めて近接する。従って、第一移動部材１３１は、退避位置と所定回転位置との間で回転しても、後述のような第二移動部材１７２と下顎部１７０を移動させる動作を殆どしない。つまり、第二移動部材１７２は、第二位置にて静止し、下顎部１７０は下端位置にて静止している。
【００４８】
回転体１２５は、開始回転位置から更に背面視で時計回りに回転する（図８（ａ）、（ｂ）参照）。摺動連結部１２７Ａは、第二開口縁部１４１Ｂに対して摺動するように、内開口縁部１４１に対して右側へ相対移動する。摺動連結部１２７Ａは、退避回転位置にある第一移動部材１３１を、背面視で時計回りに更に回転させる。外開口縁部１４２は、後軸受１６２を介して、連結部１６０を上側へ向けて付勢する。連結部１６０の軸部材１６４が、第一ガイド部７７Ａ（図８（ａ），（ｂ）参照）によって左右方向への移動を規制されるので、連結部１６０は第一ガイド部７７Ａに沿って上方向へ移動する。このとき、後軸受１６２は、外開口縁部１４２に対して相対的に左側へ移動する。
【００４９】
連結部１６０の上方への移動力は、軸部材１６４を介して下顎部１７０に伝達されると同時に、前軸受１６８（図６参照）及び摺動部１７３を介して第二移動部材１７２に伝達される。これにより、下顎部１７０と第二移動部材１７２は、いずれも、第一移動部材１３１に従動して一体的に上方へ直線移動する（図１０（ａ）の矢印Ｐ方向）。第二移動部材１７２は、スライドレール１４７と左ガイド部７９によって案内されながら、上方へ直線移動する。尚、上顎部１１０は、軸線１０２Ａ（図７参照）を中心に、背面視で反時計回りに回転し続けている。
【００５０】
図８（ｂ）、図９（ｂ）に示すように、第一移動部材１３１は、軸部材１３９から略右方へ延びる回転位置（以下、「中間回転位置」という）まで回転する。このとき、摺動連結部１２７Ａは、第二開口縁部１４１Ｂの右端部に接触し、後軸受１６２は、外開口縁部１４２の左端部と接触し、軸部材１６４は、第一ガイド部７７Ａの上端の内側に位置する。第二移動部材１７２は、第二位置の僅か下方まで上昇する。また、下顎部１７０の上部は、表示面２８Ａの左下部と正面視で重なる位置まで上昇する（図１１（ｂ）参照）。以下、第一移動部材１３１が中間回転位置にあるときの下顎部１７０の配置位置を「中間位置」という。中間位置にある下顎部１７０の一部は、遊技者から視認可能である。
【００５１】
尚、図１１（ｂ）に示すように、下顎部１７０が中間位置まで移動した場合、上顎部１１０は、表示面２８Ａの左上部の前方で、左下方から右上方へ延びる位置まで回転する。従って、上顎部１１０は、遊技者から視認可能となる。
【００５２】
図９（ｂ）、（ｃ）に示すように、回転体１２５が、背面視で時計回りに更に回転することで、摺動連結部１２７Ａは、第二開口縁部１４１Ｂに対して摺動しながら、内開口縁部１４１に対して左側へ相対移動する。これにより、摺動連結部１２７Ａは、第一移動部材１３１を、中間回転位置から背面視で時計回りに更に回転させる。第一移動部材１３１の回転に伴って、外開口縁部１４２は、後軸受１６２を上側へ付勢する。連結部１６０（図６参照）は、軸部材１６４を、第二ガイド部７７Ｂに沿わせるようにして上側へ移動させる。このとき、前軸受１６８は、摺動部１７３に対して摺動し、第二移動部材１７２と下顎部１７０は、僅かに上方へ一体的に移動する。第二移動部材１７２は、第一位置まで上昇する。第二移動部材１７２が第一位置まで上昇した後も、連結部１６０は、第二ガイド部７７Ｂに沿って更に上側へ移動する。この場合、第二ガイド部７７Ｂと摺動部１７３は略前後方向に対向する。従って、前軸受１６８は、摺動部１７３に対して摺動しつつも、第二移動部材１７２を上方へは移動させない。第二移動部材１７２は第一位置に位置し続ける。
【００５３】
第二ガイド部７７Ｂに沿って移動する軸部材１６４は、下顎部１７０を、軸線１７７Ａを中心に背面視で時計回り（図９（ｂ）、図１０（ｂ）の矢印Ｑ方向）に回転させる。下顎部１７０は、第二移動部材１７２に対して相対的に移動する。言い換えると、下顎部１７０は、第二移動部材１７２とは独立して回転移動する。つまり、下顎部１７０の動作は、第二移動部材１７２と一体的に直線移動する動作から、第二移動部材１７２とは独立して回転移動する動作へと切り替わる。この場合、下顎部１７０と上顎部１１０は、互いに近接する方向に向けて回転する（図１０（ｂ）、（ｃ）参照）。
【００５４】
図８（ｃ）、図９（ｃ）、及び図１０（ｃ）に示すように、回転体１２５が終了回転位置まで回転すると、第一移動部材１３１は演出回転位置まで回転し、下顎部１７０は上端位置まで回転する。また、下顎部１７０が上端位置まで回転移動したとき、上顎部１１０は、演出位置まで回転する。演出位置にある上顎部１１０は、表示面２８Ａの左部の前方にて、左右方向に延びるに姿勢になる（図１１（ｃ）参照）。モータ８８は、モータギヤ８８Ａを背面視で時計回りに回転させる回転駆動を停止する。
【００５５】
モータ８８が回転駆動を停止した後、モータ８２（図６参照）は、モータギヤ８２Ａを背面視で反時計回り（図６、図９（ｃ）の矢印Ｊ方向）に回転させるように、回転駆動する。モータ８２の駆動力は、腕部９５に伝達する。これにより、腕部９５は、背面視で反時計回り（図６、図９（ｃ）の矢印Ｋ方向）に回転する。図２、図１２に示すように、腕部９５は、腕退避位置から腕演出位置まで回転する。腕部９５は、表示面２８Ａと上顎部１１０との間で、左右方向に延びる姿勢となる。その後、モータ８２は、回転駆動を停止する。以下、腕部９５が腕演出位置にあり、上顎部１１０が演出位置にあり、下顎部１７０が上端位置にある場合における演出装置２００の状態を、「演出状態」という。
【００５６】
演出装置２００が演出状態になった後、腕部９５、上顎部１１０、及び下顎部１７０のそれぞれに設けられた発光体は、点滅する。これにより、パチンコ機１は、腕部９５、上顎部１１０、及び下顎部１７０のインパクトを、遊技者に対して効果的に与えることができる。
【００５７】
その後、モータ８２，８８は、演出装置２００が初期状態から演出状態に変わる場合とは反対方向に回転駆動する。これにより、腕部９５と上顎部１１０は、正面視で、一体的に反時計回りに回転し、下顎部１７０は下端位置に向けて回転する。上顎部１１０と下顎部１７０は、正面視で、互いに離間する方向に回転する。腕部９５は腕演出位置まで戻り、上顎部１１０は退避位置まで戻る。また、第一移動部材１３１は、中間回転位置、退避位置、及び所定回転位置を経由して、退避位置まで戻る。これにより、第二移動部材１７２は第一位置から第二位置まで戻り、下顎部１７０は中間位置を経由して上端位置まで戻る。演出装置２００は初期状態に戻る。
【００５８】
以上、説明したように、下顎部１７０は、下端位置から中間位置まで上下方向に沿って移動した後、軸部材１７７を中心として背面視で時計回りに回転する。下顎部１７０が、例えば、前後方向に延びる軸線を中心とした回転方向にしか回転できない場合が考えられる。この場合、下顎部１７０が、軸線と直交する方向において大きくなる程、下顎部１７０の通過する領域である通過領域は、増大する。これにより、下顎部１７０を移動させるために必要なスペースが増大する。また、例えば、下顎部１７０が上下方向にしか直線移動できない場合が考えられる。この場合、下顎部１７０の移動方向が柔軟に切り換わることがない。従って、パチンコ機１に設けられる各種部材のうち、下顎部１７０の通過領域から退避させる必要がある部材である所定部材と、所定部材を退避させることに伴って移動させる必要のある部材とが、増大する。これにより、下顎部１７０を移動させるために必要なスペースが、増大する。しかしながら、本実施形態では、下顎部１７０の移動方向が切り替わるので、下顎部１７０の通過領域は、他の各種部材と接触しない柔軟な通過領域になり易い。また、下顎部１７０の移動方向が切り替わるので、上端位置に移動するまでの下顎部１７０の移動領域は、小さくなり易い。以上より、装飾体である下顎部１７０を移動させるために必要なスペースが増大しにくいパチンコ機１が実現される。
【００５９】
また、下顎部１７０の移動方向が切り替わることができるので、下端位置にある下顎部１７０の配置位置は、自在化する。つまり、パチンコ機１の設計開発段階において、下顎部１７０の上下動量と回転量とが調整されることによって、下端位置にある下顎部１７０の配置位置は、比較的自在に設定され易い。よって、遊技者にとって視認不能となる位置で下顎部１７０を収容するためのスペースが自在化し、パチンコ機１の小型化が達成できる。
【００６０】
また、第一移動部材１３１は、退避回転位置から中間回転位置まで回転することで、下顎部１７０と第二移動部材１７２を一体的に上下方向に移動させることができる。第一移動部材１３１は、中間回転位置から演出回転位置まで回転することで、下顎部１７０を第二移動部材１７２とは独立して、軸部材１７７を中心に回転させることができる。下顎部１７０の移動方向の切替えは、第一移動部材１３１、第二移動部材１７２、及び軸部材１７７によって実現される。よって、パチンコ機１は、演出装置２００の機構を簡易化できる。
【００６１】
第一移動部材１３１は、モータ８８の回転駆動に伴って、軸部材１３９を中心に回転移動する。また本実施形態では、第一移動部材１３１は、所定回転位置と演出回転位置との間を回転する場合に、軸部材１３９を中心に約５０度だけ回転する。これにより、第一移動部材１３１の移動範囲は、第一移動部材１３１が直線移動する場合に比べて、限定される。従って、パチンコ機１は、演出装置２００を更に省スペース化できる。
【００６２】
摺動連結部１２７Ａが第一開口縁部１４１Ａの左端部に対して接触することで、第一移動部材１３１は、背面視で時計回りに回転することを規制される。よって、下端位置にて静止している下顎部１７０を上方へ移動させようとする突発的な外力がパチンコ機１に作用した場合であっても、パチンコ機１は、下顎部１７０を安定した状態で静止（ロック）させることができる。
【００６３】
第二移動部材１７２は、上下方向に沿って直線移動する場合に、スライドレール１４７によって案内される。よって、パチンコ機１は、第二移動部材１７２の上下方向における直線移動を安定化できる。故に、下顎部１７０の上下方向における直線移動は、安定化する。
【００６４】
摺動部１７３に連結する連結部１６０がガイド部７７に沿って移動する構成が採用されることで、第一移動部材１３１が下顎部１７０と第二移動部材１７２を一体的に移動させる動作と、第一移動部材１３１が第二移動部材１７２とは独立して下顎部１７０を回転させる動作とは、実現される。よって、パチンコ機１は、演出装置２００を簡易化できる。
【００６５】
モータ８８が回転駆動することで、下顎部１７０に加えて上顎部１１０が移動する。つまり、モータ８８の回転駆動に伴って、複数の装飾体が連動して動作するので、パチンコ機１は、装飾体を動作させる演出効果を向上できる。また、本実施形態では、モータ８８の回転駆動に伴って、上顎部１１０と下顎部１７０は、互いに近接する方向、又は互いに離間する方向に移動する。これにより、上顎部１１０と下顎部１７０の動作は、多彩になりつつも、一定のまとまりを有することとなる。よって、パチンコ機１は、装飾体を動作させる演出効果を更に向上できる。
【００６６】
また、下顎部１７０は、下端位置から中間位置まで上下方向に沿って直線移動し、中間位置から上端位置まで軸部材１３９を中心に回転移動する。下顎部１７０の動きに、直線移動と回転移動とが含まれるので、下顎部１７０の動作が遊技者に与えるインパクトは、増大する。よって、パチンコ機１は、装飾体を動作させる演出効果をさらに向上できる。
【００６７】
中間位置にある下顎部１７０の上部は、表示面２８Ａと正面視で重なり前側から視認可能となる。下顎部１７０が、遊技者によって視認可能な位置で移動方向を切り替えるので、下顎部１７０の動作が遊技者に与えるインパクトは、増大する。さらに、本実施形態では、遊技者は、表示面２８Ａを視認しつつ、下顎部１７０が移動方向を切り替える動作を視認できる。これにより、下顎部１７０の動作が遊技者に与えるインパクトは、更に増大する。よって、パチンコ機１は、下顎部１７０を動作させる演出効果を向上できる。
【００６８】
下顎部１７０が中間位置から上端位置まで回転する場合、軸部材１７７は表示面２８Ａに対して前後方向と直交する方向に退避した位置にある。よって、下顎部１７０が回転する動きが更にダイナミックになる。よって、パチンコ機１は、下顎部１７０を動作させる演出効果を向上できる。
【００６９】
上記実施形態において、パチンコ機１は、本発明の「遊技機」の一例である。モータ８８は、本発明の「駆動手段」の一例である。下顎部１７０は、本発明の「第一装飾体」の一例である。軸部材１３９は、本発明の「第一支持部」の一例である。上下方向は、本発明の「第一所定方向」の一例である。軸線１７７Ａを中心とした回転方向は、本発明の「第二所定方向」の一例である。軸線１７７Ａは、本発明の「軸線」の一例である。
【００７０】
尚、本発明は、上記実施形態に限定されず、種々の変形が可能である。上記実施形態では、下顎部１７０が上端位置まで移動し、且つ、上顎部１１０が演出位置まで移動した後に、腕部９５は、腕演出位置に向けた回転移動を開始する。これに代えて、腕部９５は、正面視で、上顎部１１０と一体的に回転するように、回転してもよい。この場合、後側にある腕部９５の一部は、上顎部１１０によって遮られた状態を維持しつつ、回転する。これにより、遊技者は、却って、上顎部１１０と腕部９５の動きに斬新さを感じるので、パチンコ機１は、装飾体を動作させる演出効果を向上できる。また、上顎部１１０と腕部９５が一体的に回転するので、上顎部１１０が回転した後に腕部９５が回転する場合に比べて、演出装置２００が初期状態から演出状態に変わるまでの時間は、短縮される。よって、パチンコ機１は、演出装置２００の装飾体を動作させる演出に、スピード感を持たせることができる。
【００７１】
また、腕部９５、上顎部１１０、及び下顎部１７０のそれぞれに設けられた発光体は、腕部９５、上顎部１１０、及び下顎部１７０が移動している間に、点滅又は点灯してもよい。
【００７２】
また、上記実施形態では、下顎部１７０は、上下方向に直線移動した後、前後方向に延びる軸線１７７Ａを中心に回転移動する。これに代えて、例えば、下顎部１７０は、左右方向又は前後方向に直線移動した後、上下方向に延びる軸線（図示外）を中心に回転移動してもよい。また、下顎部１７０が直線移動する方向は、例えば、上下方向及び左右方向に対して傾斜する方向であってもよい。また、下顎部１７０が回転移動するときの中心となる軸線は、例えば、上下方向及び左右方向に対して傾斜する方向に延びていてもよい。
【００７３】
また、下顎部１７０、第二移動部材１７２、及び第一移動部材１３１は、前方から順に並ぶことに限定されない。例えば、第二移動部材１７２が下顎部１７０よりも前方に配置されていてもよいし、下顎部１７０が第一移動部材１３１よりも後方に配置されていてもよい。
【００７４】
また、内開口縁部１４１及び外開口縁部１４２のそれぞれが形成する長穴は、第一移動部材１３１を貫通する長穴であることに限定されず、例えば、第一移動部材１３１の前面に形成された溝であってもよい。また、ギヤ８９は、モータギヤ８８Ａの上端部に連結していなくてもよい。これに代えて、ギヤ８９は、例えば、モータギヤ８８Ａと回転体１２５のギヤ部とを連結する複数のギヤのいずれか一つに連結していてもよい。また、第一移動部材１３１は、軸部材１３９を中心に回転する代わりに、例えば上下方向又は左右方向に直線移動する構成であってもよい。また、スライドレール１４７が設けられる代わりに、例えば、上下方向に延びるガイド溝が設けられてもよい。第二移動部材１７２は、例えば軸受などを介して、ガイド溝に対して摺動可能に連結する。
【００７５】
また、腕部９５、上顎部１１０、下顎部１７０は、いずれも、遊技者によって視認不能となる位置と、遊技者によって視認可能となる位置との間を移動することに限定されない。上記三つの装飾体は、いずれも、遊技者によって視認可能となる状態を維持したまま、所定の移動範囲を移動してもよい。
【００７６】
また、請求項、明細書および図面に記載される全ての要素（例えば、図柄表示装置、大入賞装置、始動入賞口等）は、個数を意識的に限定する明確な記載がない限り、物理的に単一であっても複数であっても構わないし、適宜配置の変更が行われても構わない。また、前記要素につけられた名称（要素名）は、単に本件の記載のために便宜上付与したにすぎないものであり、それによって特別な意味が生じることを特に意識したものではない。 従って、要素名のみによって要素が何であるかが限定解釈されるものではない。例えば、「演出装置」は、ハード単体でも、ソフトを含んだものであっても構わない。 
【００７７】
更には、上記全ての要素のうちの複数の要素を適宜一体的に構成するか、もしくはひとつの要素を複数の要素に分けて構成するかは、何れも当業者であれば容易に考えられる事項であり、敢えて明細書等において全パターンを記載しなくても何れのパターンも想定範囲内であることは明らかであることから、特許請求の範囲等においてそれらを明確に除外している旨の記載がない限りは、それら全てについて本発明に係る権利範囲に含まれることは言うまでもない。従って、その程度の範囲内での構成上の差異を、本実施例に記載がなされていないことを理由に遊技機に採用することのみでは、本発明に係る権利を回避したことにはあたらない。その他、各要素の構成や形状等における、本実施例から当業者であれば容易に考えられる自明な範囲の差異についても同様である。
【００７８】
＜備考＞
以下、本開示の構成とその作用効果を例示する。下記の構成に注記したカッコ書きは、対応する本開示の構成を例示する。
【００７９】
前記遊技機において、前記第一移動部材は、直線状に延びる長穴を形成する開口縁部（内開口縁部１４１）を備え、第一所定位置（所定回転位置）を起点として移動する部材であり、前記移動手段は、前記第一所定方向と直交する方向に延びる第二軸線（軸線１２５Ａ）を中心に、前記駆動手段の駆動力によって回転する回転体（回転体１２５）と、前記第二軸線から離間する位置で前記回転体に設けられ、前記開口縁部に摺動可能に連結すると共に、前記開口縁部に対して摺動することで、前記第一移動部材を前記第一所定位置まで移動させる摺動連結部（摺動連結部１２７Ａ）とを備え、前記開口縁部の延設方向の一端部に接触する前記摺動連結部の前記第一所定方向における位置は、前記一端部とは反対の他端部に接触する前記摺動連結部の前記第一所定方向における位置と同じであってもよい。この場合、摺動連結部は、開口縁部の一端部に接触することで、第一移動部材に対して第一所定方向に沿った移動を規制できる。よって、遊技機は、第一装飾体を安定した状態で静止させることができる。
【００８０】
前記遊技機において、前記移動手段は、前記第二移動部材が前記第一所定方向に移動するのを案内する案内手段（スライドレール１４７）を備えてもよい。この場合、第二移動部材の移動が安定化するので、遊技機は安定して第一装飾体を移動できる。
【００８１】
前記遊技機において、前記第一装飾体、前記第一移動部材、及び前記第二移動部材は、それぞれ、前記第一所定方向及び前記第二所定方向と直交する方向である特定方向（前後方向）に沿って配置され、前記移動手段は、前記第一所定方向に延びる第一ガイド部（第一ガイド部７７Ａ）と、前記第一ガイド部の一端部から、前記第一所定方向及び前記第二所定方向と交差する第三所定方向に延びる第二ガイド部（第二ガイド部７７Ｂ）とを有し、前記第一装飾体に対して前記特定方向に並ぶガイド部（ガイド部７７）と、前記第一移動部材と前記第一装飾体とを連結し、前記ガイド部に沿って移動する連結部（連結部１６０）と、前記第二移動部材に設けられ、前記第二所定方向に延び、前記連結部が前記第三所定方向に摺動可能に連結する摺動部（摺動部１７３）とを備え、前記第二移動部材は、前記摺動部が前記第二ガイド部に対して前記特定方向に対向する第一位置と、前記第一位置から前記所定方向に離間した位置であって、且つ前記摺動部が前記第一ガイド部に対して前記特定方向に対向する第二位置との間を移動可能であってもよい。この場合、第一ガイド部に沿って移動する連結部は、摺動部を介して第二移動部材を第二位置から第一位置まで移動させると共に、第一装飾体を第一所定方向に沿って移動させる。これにより、遊技機は、第一動作を実行する。第二ガイド部に沿って移動する連結部は、摺動部に対して摺動すると共に、第一装飾体を、第二移動部材とは独立して第二所定方向に移動させる。これにより、遊技機は第二動作を実行する。つまり、第一動作と第二動作は、摺動部に連結する連結部がガイド部に沿って移動する構成が採用されることで、実現される。よって、遊技機は、第一装飾体を移動させる機構を簡易化できる。
【００８２】
前記遊技機において、前記第一装飾体と連動して移動可能な第二装飾体（上顎部１１０）を備え、前記移動手段は、前記駆動手段の駆動力を前記第一移動部材に伝達する第一伝達部材（モータギヤ８８Ａ）と、前記第一伝達部材と連結し、前記駆動手段の駆動力を前記第二装飾体に伝達する第二伝達部材（ギヤ８９）とを備えてもよい。この場合、駆動手段の駆動力によって、第一装飾体に加えて第二装飾体が移動する。複数の装飾体が連動して移動するので、遊技機は、装飾体を動作させる演出効果を向上できる。
【００８３】
前記遊技機において、前記移動手段は、前記第一装飾体の少なくとも一部が、外部から視認可能となる位置にて、前記第一装飾体の移動方向を前記第一所定方向から前記第二所定方向に切り替えてもよい。この場合、遊技機は、装飾体を動作させる演出効果を向上できる。
【００８４】
前記遊技機において、画像を前方へ向けて表示する表示面（表示面２８Ａ）を有する画像表示装置（表示装置２８）を備え、前記移動手段は、前記第一装飾体の少なくとも一部が前記表示面と正面視で重なる位置にて、前記第一装飾体の移動方向を前記第一所定方向から前記第二所定方向に切り替えてもよい。この場合、遊技者は、表示面を視認しつつ、第一装飾体が移動方向を切り替える動作を視認できる。よって、遊技機は、装飾体を動作させる演出効果を向上できる。
【００８５】
前記遊技機において、前記第一所定方向は上下方向であり、前記第二所定方向は、前後方向に延びる第三軸線（軸線１７７Ａ）を中心とした回転方向であり、前記第三軸線は、正面視で、前記表示面から前記前後方向と直交する方向に離間した位置に配置されてもよい。この場合、第一装飾体が第二所定方向に沿って回転する動きが、ダイナミックになる。よって、遊技機は、装飾体を動作させる演出効果を向上できる。
【符号の説明】
【００８６】
１                パチンコ機
２８              表示装置
２８Ａ            表示面
７７              ガイド部
７７Ａ            第一ガイド部
７７Ｂ            第二ガイド部
８８              モータ
８８Ａ            モータギヤ
８９              ギヤ
１１０            上顎部
１２５            回転体
１２５Ａ          軸線
１２７Ａ          摺動連結部
１３１            第一移動部材
１３９            軸部材
１４１            内開口縁部
１４２            外開口縁部
１４７            スライドレール
１６０            連結部
１７０            下顎部
１７２            第二移動部材
１７３            摺動部
１７７Ａ          軸線
【図１】
2017086583.tif 000003
【図２】
2017086583.tif 000004
【図３】
2017086583.tif 000005
【図４】
2017086583.tif 000006
【図５】
2017086583.tif 000007
【図６】
2017086583.tif 000008
【図７】
2017086583.tif 000009
【図８】
2017086583.tif 000010
【図９】
2017086583.tif 000011
【図１０】
2017086583.tif 000012
【図１１】
2017086583.tif 000013
【図１２】
2017086583.tif 000014